(57)【要約】      （修正有）【課題】床板及び床スラブから大引ビームへの振動及び音を遮断して、大引ビームの左右、上下の撓み揺れ振動を確実に防止すると共に、床スラブの薄厚化に成功し、床板（フローリング）と床スラブとの空間を低減し、且つ床板の上方の適正な生活空間或いは、作業空間を確保することができる床構造体を提供する。【解決手段】居住空間を介在して縦壁１００を対面配置しこの縦壁１００間に床スラブ２００を設け、床スラブ２００の上面に空隙を介して大引ビーム３００を配置しこの大引ビーム３００の上に弾性緩衝体４０１を介して床板体５００を支持する床構造体において、大引ビーム３００の両端部３００ａの高さ方向の一部または全部を、弾性緩衝体４０３を介して床スラブ２００の両側部２００ａ上にコンクリート又はモルタル６０１で埋設したことを特徴とする。【選択図】図１
0003175171.tif 000002
【実用新案登録請求の範囲】
【請求項１】
居住空間を介在して縦壁（１００）を対面配置しこの縦壁（１００）間に床スラブ（２００）を設け、前記床スラブ（２００）の上面に空隙を介して大引ビーム（３００）を配置しこの大引ビーム（３００）の上に弾性緩衝体（４０１）を介して床板体（５００）を支持する床構造体において、大引ビーム（３００）の両端部（３００ａ）の高さ方向の一部または全部を、弾性緩衝体（４０２、１０３）介して床スラブ（２００）の両側部（２００ａ）上にコンクリート又はモルタル（６０１、６０２）で埋設したことを特徴とする床構造体。
【考案の詳細な説明】
【技術分野】
【０００１】  居住空間を介在して縦壁を対面配置しこの縦壁間の下面に床スラブを敷設し、前記床スラブの上面に配置する床構造体に関するものである。
【背景技術】
【０００２】  従来、床構造体は，本願出願人が開発し特開２００８−１２７９４２号公報で紹介した床構造体がある。
この公知の床構造体は、図４に示すように、「居住空間を存して対向配置される第１、第２の正大梁（Ｂｂ１，Ｂｂ２）間に一体に結合される床スラプ（Ｓｆ）上に、複数の大引ビーム（５）とその上に敷設される床板（７）とよりなる床構造体を配設する。
そこで前記床スラブ（Ｓｆ）は、第１、第２の張出し床スラブ部（８（１），８（２）と張出し床スラブ部（８（１），８（２）の厚みよりも肉薄にした水平床スラブ部（９）とから成り、第１、第２の張出し床スラブ部（８（１），８（２）は、第１、第２の正大梁（Ｂｂ１，Ｂｂ２）の上面とその張出し面に位置し大引ビーム（５）の両側部の配列方向に一体に延長して形成してあり、水平床スラブ部（９）は、前記張出し床スラブ部（８（１），８（２）の間において、上面側又は下面側に段付部（１１）を形成して一体に接続されている。
そして、張出し床スラブ部（８（１），８（２）の上面に位置する大引ビーム（５）の両側部は、上下方向に位置調節可能にした複数の支持手段Ｓを介して床板（７）の下面を支持したものである。
このため、床スラブ（Ｓｆ）の厚みは増大し、床スラブの上面と床板（７）との間の空間高さを大きくとらざるを得なく従って建設費が大きく嵩む。その上、床板（７）上の生活空間の適正な確保が著しく困難となる。
【考案の概要】
【考案が解決しようとする課題】
【０００３】  本考案は、床スラブを、「床スラブ（Ｓｆ）のように、第１、第２の正大梁（Ｂｂ１，Ｂｂ２）の上面とその張出し面に位置し大引ビーム（５）の両側部の配列方向に一体に延長して形成した肉厚の、第１、第２の床スラブ部（８（１），８（２）と、これらの床スラブ部（８（１），８（２）間に上面側又は下面側に段付部（１１）を形成して一体に接続されて床スラブ部（８（１），８（２）の厚みよりも肉薄の水平壁部（９）を構成する。」ことなく、居住空間を介在して対面配置した縦壁間の床スラブの薄厚化を実現して、かつ床板（フローリング）と床スラブとの空間を低くして、床板の上方に適正な生活空間或いは、作業空間を確保することができると共に、床板及び床スラブから大引ビームが受ける振動及び音を大幅に低減する床構造体を提供するものである。
【課題を解決するための手段】
【０００４】  本考案の特徴とするところは、次の（１）の通りである。
（１）、居住空間を介在して縦壁１００を対面配置しこの縦壁１００間に床スラブ２００を設け、前記床スラブ２００の上面に空隙を介して大引ビーム３００を配置しこの大引ビーム３００の上に弾性緩衝体を介して床板体５００を支持する床構造体において、大引ビーム３００の両端部３００ａの高さ方向の一部または全部を、弾性緩衝体を介して床スラブ２００の両側部２００ａ上にコンクリート又はモルタル６０１、６０２で埋設したことを特徴とする床構造体。
尚、縦壁１００間に広い居住空間とその下方に床スラブ２００が介在し、しかも当該床スラブ２００中間部の下面に下階縦壁が存在する場合は、下階縦壁の直上の床スラブ２００部では２本の大引ビーム３００の対向部を繋ぐが、このつなぎ域もコンクリート又はモルタルで埋設することを含むものである。
【考案の効果】
【０００５】  本考案の床構造体は、大引ビーム３００の両端部３００ａの高さ方向の一部または全部を、弾性緩衝体４０２を介して床スラブ２００の両側部２００ａに埋設したことにより、大引ビーム３００は、床板５００及び床スラブ２００から地震や音による振動を受けても、これらを吸収して左右、上下の撓み振動を確実に防止し、更に高さ調節具を不要にして床板５００（フローリング）と床スラブ２００との空間の低減と、縦壁１００間に設ける床スラブ２００の薄厚化を実現して床板５００の上方の適正な生活空間を確保するものである。
【図面の簡単な説明】
【０００６】
【図１】本考案の床構造体の実施例１を示す説明図であり、（１）は縦断面説明図、（２）は（１）の矢視Ａ−Ａからの断面説明図、（３）は（１）の矢視Ｂ−Ｂからの断面説明図、（４）は一部省略した鳥瞰説明図である。
【図２】本考案の床構造体の実施例２を示す説明図であり、（１）は縦断面説明図、（２）は（１）の矢視Ｃ−Ｃからの断面説明図、（３）は（１）の矢視Ｄ−Ｄからの断面説明図、（４）は一部省略した鳥瞰説明図である。
【図３】本考案における大引ビーム３００の横断面形状例３Ａ〜３Ｈを紹介した説明図である。
【図４】従来例を紹介する縦断面説明図である。
【考案を実施するための形態】
【０００７】考案を実施するための形態を次の実施例１〜実施例２と共に詳細に説明する。
【実施例１】
【０００８】  本考案の床構造体の実施例１を図１（１）（２）と共に詳細に説明する。
本例は、居住空間を介在して縦壁１００を対面配置しこの縦壁１００間に床スラブ２００を敷設し、前記床スラブ２００の上面に僅かな空隙を介して図３の３Ｇに示す横断面矩形型の大引ビーム３００を配置しこの大引ビーム３００の上に弾性緩衝体４０１を介して床板体２００を支持する床構造体あって、大引ビーム３００の両端部３００ａの高さ方向の全部を、床スラブ２００の両側部２００ａの上面の上に，周囲に配設した断面Ｕ型の弾性緩衝体４０３を介して強固に埋設５００する。
この大引ビーム３００の両端部３００ａの埋設方法は、大引ビーム３００別にその両端部３００ａが位置する部分の周囲を、弾性緩衝体４０３を介してコンクリート又はモルタル６０１で直方体に打設したものである。これにより床板体２００及び床スラブ２００から大引ビーム３００に伝わる振動を、弾性緩衝体４０３及びコンクリート又はモルタル６０１で吸収して大引ビーム３００の左右、上下の撓み振動を確実に防止するとともに床スラブ２００の薄肉化を実現した。【０００９】  床板体５００は、木製のパーチクルボード（各種ベニヤ合体やチップ圧縮体等の床パネル等）５０１とその上に遮音シート５０２を介して配設した木製の無垢体、化粧合体等のフローリング５０３（無垢体、化粧合体等）とからなる。【００１０】  各大引ビーム３００の間に連結配置するか大引ビーム３００の上面に載置配置するサブビーム（根太）等は、大引ビーム３００の配列間隔や床板体自体の強度或いは床板体の上面への荷重分布等によって適宜配置すればよい。【００１１】  前記大引ビーム３００は側面に通気穴を設けて、大引ビーム３００間の通気を可能にして音響の共鳴を防止する。また大引ビーム３００の断面形状は、図３に示すように本例の矩形型３Ｇを含みＣ型３Ａ、Ｃ字型３Ｂ、Σ型３Ｃ、Ｉ型３Ｄ、中間部を窪ませた変形矩形３Ｅ、変形Σ型３Ｆ、ロ字型（矩形）３Ｇ、片側凹形成型３Ｈ、図示していないがＨ型、チャンネル型、Ｙ型等にしてもよい。【００１２】  大引ビーム３００の上面と、埋設部の下面または周面に配置の弾性緩衝体４０１、４０３は、材質を弾性クッション性があり好ましくは耐圧性や耐振性のある例えばシリコン樹脂や合成樹脂ゴム等の合成樹脂、或いは天然ゴム等の天然樹脂でよくこれらを単独又は任意に組み合わせる。実施例２の弾性緩衝体４０２も同様である。
【実施例２】
【００１３】  本考案の床構造体の実施例２を図２（１）（２）（３）と共に詳細に説明する。
本例は、居住空間を介在して縦壁１００を対面配置しこの縦壁１００間に床スラブ２００を敷設し、前記床スラブ２００の上面に僅かな空間を介して図３の３Ｇに示す横断面変形Σ型３Ｇの大引ビーム３００を配置しこの大引ビーム３００の上面に弾性緩衝体４０１を介して床板体５００を支持する床構造体であって、大引ビーム３００の両端部３００ａの高さ方向の全部を、床スラブ２００の両側部２００ａの上面の上に弾性緩衝体４０２を介して載せてコンクリートやモルタル６０２で強固に埋設する。
この大引ビーム３００の両端部３００ａの埋設方法は、大引ビーム３００の両端部３００ａが配列されて位置する床スラブ２００の両側部２００ａの全域に一体的に打設したものである。
この埋設方法以外は実施例１と同様の構成にして同一符号を付してあるので、その説明は省略する。
【産業上の利用可能性】
【００１４】  本考案は、前述に紹介したすぐれた効果によって、次に紹介するように建造物の建築施工産業界への貢献は多大なものがあります。
○大引ビーム３００と床板体５００の二重の床構造体でありながら１４０ｍｍほどの薄厚床スラブ化をと、約１３８ｍｍからの低床化を実現し、○大引ビームを介して床板体５００や床スラブへの振動と音の伝播を大幅に低減し、○遮音性能を床スラブ厚に頼ることなく、構造的には必要のないスラブ厚の増加を防ぎ、建物全体の軽量化が図れ、○躯体工事費は、床スラブを１３５ｍｍと軽量化にした場合、建造物の柱、梁、基礎等も削減でき躯体コストは均質単体スラブ（厚み１５０ｍｍ，１８０ｍｍ，２００ｍｍ）やポイドスラブ、アンポイドＰＣスラブとの比較で８〜３０％の低減が図れ、○設備工事費は、メンテナンスが容易に行え、その労力、時間、費用を軽減しコスト面の負担を大きく軽減し、メンテナンスや生活環境の変化にも容易に対応することができるため、長期優良住宅（建設寿命＝躯体寿命）の発想に繋がり、○このようにして高耐久性住宅化の実現は建物を長く安全に活用でき、ライフサイクルコストの削減に大きく貢献する。
【符号の説明】
【００１５】  １００：縦壁
２００：床スラブ
２００ａ：床スラブ両端部
３００：大引ビーム
３００ａ：大引ビーム両端部
４０１、４０２、４０３：耐圧性の弾性緩衝体
５００：床板体
６０１、６０２：コンクリートかモルタル
【図１】
0003175171.tif 000003
【図２】
0003175171.tif 000004
【図３】
0003175171.tif 000005
【図４】
0003175171.tif 000006